(57)【要約】      （修正有）【課題】撮像チップ直前のプリズムによる不要光の発生を抑えつつ撮影装置の薄型化設計に有利な撮影光学系を提供すること。【解決手段】少なくとも１枚のレンズを有する結像レンズ群と、結像レンズ群を透過した光を折り曲げる像側プリズム１０８と、像側プリズムで折り曲げられた光を透過させる撮像素子用カバーガラス１１０とを有した撮影光学系において、折り曲げた光を射出する像側プリズムの射出面１０８ｂと撮像素子用カバーガラスの入射面１１０ａとを光学的に透明な接着剤１１２で接着した。【選択図】図３
2012068509.tif 000002
【特許請求の範囲】
【請求項１】
少なくとも１枚のレンズを有する結像レンズ群と、
前記結像レンズ群を透過した光を所定位置に設置される撮像素子に向けて折り曲げる像側プリズムと、
前記像側プリズムで折り曲げられた光を透過させる撮像素子用カバーガラスと、
を有し、
折り曲げた光を射出する前記像側プリズムの射出面と前記撮像素子用カバーガラスの入射面とが光学的に透明な接着剤で接着されていることを特徴とする撮影光学系。
【請求項２】
前記像側プリズムの屈折率をｎ１と定義し、該像側プリズムと前記撮像素子用カバーガラスとの間の接着層の屈折率をｎ２と定義し、該撮像素子用カバーガラスの屈折率をｎ３と定義した場合に、次式（１）
ｎ１≦ｎ２≦ｎ３・・・（１）
が満たされることを特徴とする、請求項１に記載の撮影光学系。
【請求項３】
前記像側プリズムの屈折率をｎ１と定義し、該像側プリズムと前記撮像素子用カバーガラスとの間の接着層の屈折率をｎ２と定義した場合に、次式（２）
ｎ１−ｎ２＜０．０２・・・（２）
が満たされることを特徴とする、請求項１に記載の撮影光学系。
【請求項４】
前記像側プリズムと前記撮像素子用カバーガラスとの間の接着層の屈折率をｎ２と定義し、該撮像素子用カバーガラスの屈折率をｎ３と定義した場合に、次式（３）
ｎ２−ｎ３＜０．０７・・・（３）
が満たされることを特徴とする、請求項１又は請求項３に記載の撮影光学系。
【請求項５】
少なくとも１枚のレンズを有する結像レンズ群と、
前記結像レンズ群を透過した光を所定位置に設置される撮像素子に向けて折り曲げる像側プリズムと、
前記像側プリズムで折り曲げられた光を透過させる撮像素子用カバーガラスと、
を有し、
前記像側プリズムと前記撮像素子用カバーガラスとが一体形成部品であることを特徴とする撮影光学系。
【請求項６】
前記像側プリズムは、光路を略９０°折り曲げる直角プリズムであることを特徴とする、請求項１から請求項５の何れか一項に記載の撮影光学系。
【請求項７】
前記結像レンズ群を構成する少なくとも１枚のレンズを前記像側プリズムとの間に挟んで配置された物体側プリズムを有することを特徴とする、請求項１から請求項６の何れか一項に記載の撮影光学系。
【請求項８】
前記物体側プリズムは、光路を略９０°折り曲げる直角プリズムであることを特徴とする、請求項７に記載の撮影光学系。
【請求項９】
請求項１から請求項８の何れか一項に記載の撮影光学系と、
前記結像レンズ群の結像面上にセンサ面が配置された撮像素子と、
を有することを特徴とする撮影装置。
【発明の詳細な説明】
【技術分野】
【０００１】
本発明は、被写体を撮影するための撮影光学系、及び該撮影光学系を有する撮影装置に関する。
【背景技術】
【０００２】
近年、デジタルスチルカメラ、デジタルビデオカメラ、撮像モジュールを搭載したデジタル機器、例えば携帯電話端末、ＰＤＡ（Personal Digital Assistants）、ＰＮＤ（Portable Navigation Device）、ＰＨＳ（Personal Handy phone System）、携帯ゲーム機、ノートＰＣ等が広く普及している。この種のカメラ又はデジタル機器には、本体部を薄型化させるため、本体部筐体の厚み方向（以下、説明の便宜上「筐体厚方向」と記す。）と直交する方向（以下、説明の便宜上「筐体面方向」と記す。）に光路が長く取られた撮影光学系（いわゆる屈曲光学系）を搭載したものがある。
【０００３】
ところで、光路が筐体面方向に向く場合、被写体像を撮像チップのセンサ面に入射させるため、センサ面を筐体厚方向と平行に配置する必要がある。しかし、撮像チップのセンサ面方向の外形寸法は大きいため、センサ面を筐体厚方向と平行に配置した場合には本体部筐体を薄型に設計するのが難しい。
【０００４】
そこで、例えば特許文献１〜６に、撮像チップのセンサ面を筐体面方向と平行に配置して筐体厚方向の寸法を抑えるべく、撮像チップの直前にプリズムを配置して光路を筐体厚方向に折り曲げた撮影光学系が開示されている。
【先行技術文献】
【特許文献】
【０００５】
【特許文献１】特開２００６−０５８８４０号公報
【特許文献２】特開２００６−１５４７０２号公報
【特許文献３】特開２００７−０３３８１９号公報
【特許文献４】特開２００４−２４７８８７号公報
【特許文献５】特開２００７−３１６５２８号公報
【特許文献６】特開２００８−２６８７００号公報
【発明の概要】
【発明が解決しようとする課題】
【０００６】
しかし、特許文献１〜６に記載の撮影光学系においては、撮像チップの直前にプリズムを配置したことにより、正規の像形成に寄与しない不要光が発生してゴーストやフレアとして画像に現れる。ゴーストやフレアには、意図しない像形成やコントラストの低下を生じさせて画質を劣化させるという問題がある。ゴーストやフレアの発生を抑える有効な手段として、例えば不要光の発生原因となる光学素子と撮像チップとの間の光路に遮光マスクを配置することが考えられる。しかし、特許文献１〜６に記載の構成においては、撮像チップ直前のプリズムと撮像チップとの間に遮光マスクを配置するスペースを確保するのは難しい。また、遮光マスクを配置しただけでは不要光を十分に抑えることができず画質の劣化が抑えられない虞がある。
【０００７】
本発明は上記の事情に鑑みてなされたものであり、その目的とするところは、撮像チップ直前のプリズムによる不要光の発生を抑えつつ撮影装置の薄型化設計に有利な撮影光学系、及び該撮影光学系を有する撮影装置を提供することである。
【課題を解決するための手段】
【０００８】
上記の課題を解決する本発明の一形態に係る撮影光学系は、少なくとも１枚のレンズを有する結像レンズ群と、結像レンズ群を透過した光を所定位置に設置される撮像素子に向けて折り曲げる像側プリズムと、像側プリズムで折り曲げられた光を透過させる撮像素子用カバーガラスとを有し、折り曲げた光を射出する像側プリズムの射出面と撮像素子用カバーガラスの入射面とが光学的に透明な接着剤で接着されていることを特徴とする。
【０００９】
本発明によれば、像側プリズムの内部から外部に進む光の射出面での臨界角が接着層のない（つまり空気層）の場合と比べて大きくなり、全反射する光が減少する。接着層の屈折率が像側プリズムの屈折率よりも高い場合は、そもそも全反射自体が起こらない。すなわち、射出面で全反射する光が減少し又は無くなるため、撮影装置の薄型化設計に有利ないわゆる屈曲光学系でありつつも、ゴーストやフレアの発生が効果的に抑えられる。また、像側プリズムと撮像素子用カバーガラスとが接着固定されているため、撮影光学系と撮像素子との相対位置が簡易に精度良く決まる。
【００１０】
本発明に係る撮影光学系は、像側プリズムの屈折率をｎ１と定義し、該像側プリズムと撮像素子用カバーガラスとの間の接着層の屈折率をｎ２と定義し、該撮像素子用カバーガラスの屈折率をｎ３と定義した場合に、次式（１）
ｎ１≦ｎ２≦ｎ３・・・（１）
が満たされる構成としてもよい。かかる構成によれば、像側プリズムの射出面、撮像素子用カバーガラスの入射面の何れにおいても全反射が起こらないため、ゴーストやフレアの発生がより一層効果的に抑えられる。
【００１１】
本発明に係る撮影光学系は、次式（２）
ｎ１−ｎ２＜０．０２・・・（２）
が満たされる構成としてもよい。かかる構成によれば、像側プリズムの射出面で全反射が実質的に起こらないため、ゴーストやフレアの発生がより一層好適に抑えられる。
【００１２】
本発明に係る撮影光学系は、次式（３）
ｎ２−ｎ３＜０．０７・・・（３）
が満たされる構成としてもよい。かかる構成によれば、撮像素子用カバーガラスの入射面で全反射が実質的に起こらないため、ゴーストやフレアの発生がより一層好適に抑えられる。
【００１３】
上記の課題を解決する本発明の別の形態に係る撮影光学系は、像側プリズムの射出面と撮像素子用カバーガラスの入射面とが接着される構成に代わり、像側プリズムと撮像素子用カバーガラスとが一体形成部品であることを特徴とする。
【００１４】
像側プリズムは、筐体面方向に光路を長く取りつつ撮像素子のセンサ面を筐体面方向と平行に配置して筐体厚方向の寸法を抑えるため、例えば光路を略９０°折り曲げる直角プリズムとしてもよい。
【００１５】
本発明に係る撮影光学系は、結像レンズ群を構成する少なくとも１枚のレンズを像側プリズムとの間に挟んで配置された物体側プリズムを有する構成としてもよい。物体側プリズムは、被写体からの筐体厚方向の光を筐体面方向に折り曲げるため、光路を略９０°折り曲げる直角プリズムとしてもよい。
【００１６】
上記の課題を解決する本発明の一形態に係る撮影装置は、上記の撮影光学系と、結像レンズ群の結像面上にセンサ面が配置された撮像素子とを有することを特徴とする。
【発明の効果】
【００１７】
本発明によれば、撮像チップ直前のプリズムによる不要光の発生を抑えつつ撮影装置の薄型化設計に有利な撮影光学系、及び該撮影光学系を有する撮影装置が提供される。
【図面の簡単な説明】
【００１８】
【図１】本発明の実施形態の撮影装置の構成を示す図である。
【図２】従来の撮影装置の構成を示す図である。
【図３】本発明の実施例１の撮影光学系の構成を示す図である。
【図４】本発明の実施例２の撮影光学系の構成を示す図である。
【図５】本発明の実施例３の撮影光学系の構成を示す図である。
【図６】本発明の実施例４の撮影光学系の構成を示す図である。
【図７】本発明の実施例５の撮影光学系の構成を示す図である。
【発明を実施するための形態】
【００１９】
以下、図面を参照して、本発明の実施形態の撮影光学系を有する撮影装置について説明する。
【００２０】
図１は、本実施形態の撮影装置１の構成を示す図である。図１においては、図面を明瞭にする便宜上、本発明の要部である光学構成について図示する一方、要部でない機械構成及び回路構成については図示を省略する。本実施形態において、撮影装置１は、携帯電話端末を想定しているが、デジタルスチルカメラ、デジタルビデオカメラ、撮像モジュールを搭載したＰＤＡ、ＰＮＤ、ＰＨＳ、携帯ゲーム機、ノートＰＣ等の別形態の装置に置き換えてもよい。又は、この種の装置に搭載される撮影モジュール自体が撮影装置１であってもよい。
【００２１】
図１（ａ）に示されるように、撮影装置１は、厚みＴの筐体１０を有している。図１においては、説明の便宜上、筐体１０の厚みＴ方向をＺ軸方向と定義し、Ｚ軸方向に直交しかつ互いに直交する二方向をＸ軸方向（紙面と直交する方向）、Ｙ軸方向（紙面と平行な方向）と定義する。
【００２２】
図１（ａ）に示される破線部の構成は、図１（ｂ）に示される。図１（ｂ）に示されるように、撮影装置１は、撮影光学系１００を有している。撮影光学系１００は、対物レンズ１０２、物体側プリズム１０４、結像レンズ群１０６、像側プリズム１０８、カバーガラス１１０を有している。物体側プリズム１０４、像側プリズム１０８は何れも光路を９０°折り曲げる直角プリズムである。結像レンズ群１０６中には、絞りＳが配置されている。図１（ｂ）中、一点鎖線は、撮影光学系１００の光軸ＡＸを示す。
【００２３】
被写体からのＺ軸方向（筐体厚方向）の光は、対物レンズ１０２に入射して物体側プリズム１０４でＹ軸方向（筐体面方向）に折り曲げられた後、結像レンズ群１０６を透過して像側プリズム１０８の反射面１０８ａで再度Ｚ軸方向に折り曲げられて、像側プリズム１０８の射出面１０８ｂを射出してカバーガラス１１０を透過する。カバーガラス１１０は、樹脂パッケージに接着された撮像チップ２０を封止している。カバーガラス１１０を透過した光は、撮像チップ２０のセンサ面２２の有効画素領域に入射する。撮像チップ２０は、反射面１０８ａでＺ軸方向に折り曲げられた光をセンサ面２２の有効画素領域に正対して入射させるため、センサ面２２がＸＹ平面と平行に配置されている。センサ面方向に寸法の大きい撮像チップ２０をこのように配置することにより、撮影光学系１００と撮像チップ２０とからなるブロックのＺ軸方向の寸法ｔが抑えられる。その結果、筐体１０の厚みＴが抑えられて、撮影装置１が薄型化する。
【００２４】
撮像チップ２０は、例えばベイヤ型画素配置を有する単板式カラーＣＭＯＳ（Complementary Metal Oxide Semiconductor）イメージセンサチップである。撮像チップ２０のセンサ面２２は、結像レンズ群１０６の結像面上に配置されている。撮像チップ２０は、センサ面２２上の各画素で結像した光学像を光量に応じた電荷として蓄積して撮像信号に変換して、図示省略された画像処理エンジンに出力する。画像処理エンジンは、撮像信号を処理して画像を生成して表示画面に出力したり記録メディアに保存したりする。なお、撮像チップ２０は、ＣＭＯＳイメージセンサチップに限らず、ＣＣＤ（Charge Coupled Device）イメージセンサチップとしてもよい。
【００２５】
ところで、像側プリズム１０８と撮像チップ２０との間の光路には、正規の像形成に寄与する正規光を遮光することなく不要光のみを遮光するマスクを配置するスペースが無い。そのため、像側プリズム１０８が原因で発生した不要光がゴーストやフレアとして現れて画質を劣化させるという不具合が懸念される。ここで、従来の撮影光学系で発生していた不要光によるゴーストやフレアの一例を図２を用いて説明する。図２に示される光線Ｒは、センサ面２２の有効画素領域に設計上入射しない、最大画角よりも外側の光線である。光線Ｒの定義は、後述する各実施例及び比較例においても同一である。図２の従来構成及び後述する各実施例において、本実施形態と同一の又は同様の構成には、同一の又は同様の符号を付して説明を省略する。
【００２６】
図２に示される従来構成の撮影光学系２００は、対物レンズ２０２、物体側プリズム２０４、結像レンズ群２０６、像側プリズム２０８、カバーガラス２１０を有している。光線Ｒは、対物レンズ２０２に入射して物体側プリズム２０４で折り曲げられた後、結像レンズ群２０６を透過して像側プリズム２０８に入射する。光線Ｒは、像側プリズム２０８の射出面２０８ｂに入射する。射出面２０８ｂに対する光線Ｒの入射角は大きく、臨界角以上である。そのため、光線Ｒは、射出面２０８ｂで全反射する。全反射した光線Ｒは、反射面２０８ａに入射する。光線Ｒは、反射面２０８ａで再度全反射した後に射出面２０８ｂを透過する。光線Ｒは、カバーガラス２１０を透過してセンサ面２２の有効画素領域に入射する。すなわち、従来構成の撮影光学系２００では、射出面２０８ｂで全反射した画角外の光がゴーストやフレアとして現れて画質を劣化させる。
【００２７】
本実施形態の撮影光学系１００では、この種のゴーストやフレアの発生を抑えるべく、像側プリズム１０８の射出面１０８ｂとカバーガラス１１０の入射面１１０ａとを接着している。像側プリズム１０８とカバーガラス１１０との間の接着層１１２は、光学的に透明な接着剤からなり、空気よりも屈折率が高い。そのため、像側プリズム１０８の内部から外部に進む光の射出面１０８ｂでの臨界角が接着層のない（つまり空気層）の場合と比べて大きくなり、全反射する光が減少する。接着層１１２の屈折率が像側プリズム１０８の屈折率よりも高い場合は、そもそも全反射自体が起こらない。すなわち、本実施形態の撮影光学系１００においては、射出面１０８ｂで全反射する光が減少し又は無くなるため、ゴーストやフレアの発生が効果的に抑えられる。また、像側プリズム１０８とカバーガラス１１０とが接着固定されているため、撮影光学系１００とセンサ面２２との相対位置が簡易に精度良く決まる。
【００２８】
撮影光学系１００は、像側プリズム１０８の屈折率をｎ１と定義し、接着層１１２の屈折率をｎ２と定義し、カバーガラス１１０の屈折率をｎ３と定義と定義した場合に、次式（１）
ｎ１≦ｎ２≦ｎ３・・・（１）
を満たす構成であることがより一層好適である。像側プリズム１０８の射出面１０８ｂ、カバーガラス１１０の入射面１１０ａの何れにおいても全反射が起こらないため、ゴーストやフレアの発生が効果的に抑えられる。
【００２９】
像側プリズム１０８と外側の媒質との屈折率差が少ないほど全反射する光が減少することから、像側プリズム１０８よりも低い屈折率を持つ接着剤を選択しても（空気よりも屈折率が高いため）本発明の目的を達成することができる。例えば屈折率ｎ１とｎ２が次式（２）を満たす関係であるとき、対物レンズ１０２から入射し像側プリズム１０８に到達しうる光に対して像側プリズム１０８の射出面１０８ｂで全反射が実質的に起こらないため、ゴーストやフレアの発生が好適に抑えられる。式（２）を満たさない場合は、射出面１０８ｂで全反射が起こり、ゴーストやフレアが発生しやすくなる。
ｎ１−ｎ２＜０．０２・・・（２）
【００３０】
例えば屈折率ｎ２とｎ３が次式（３）を満たす関係であるときには、対物レンズ１０２から入射し像側プリズム１０８に到達しうる光に対してカバーガラス１１０の入射面１１０ａで全反射が実質的に起こらないため、ゴーストやフレアの発生が好適に抑えられる。式（３）を満たさない場合は、入射面１１０ａで全反射が起こり、ゴーストやフレアが発生しやすくなる。
ｎ２−ｎ３＜０．０７・・・（３）
【００３１】
次に、これまで説明した撮影装置１に組み込まれる撮影光学系１００の具体的数値実施例を５例説明し、比較例として従来の撮影光学系２００を１例説明する。各実施例１〜５の撮影光学系１００は、像側プリズム１０８より物体側の構成が共通であり、図１に示される通りである。従って、各実施例１〜５の構成図においては、重複した図示を避ける便宜上、像側プリズム１０８以降の光学構成のみを図示する。
【実施例１】
【００３２】
図３は、本発明の実施例１の撮影光学系１００の構成を示す図である。本実施例１の撮影光学系１００の具体的数値構成（設計値）は、表１に示される。表１において、Ｒ（単位：ｍｍ）は光学部材の各面の曲率半径を、Ｄ（単位：ｍｍ）は光軸ＡＸ上の光学部材厚又は光学部材間隔を、Ｎｄはｄ線（波長５８８ｎｍ）の屈折率を、それぞれ示す。本実施例１の表又は図面についての説明は、以降の各実施例又は比較例で提示される表又は図面においても適用する。また、何れの実施例及び比較例においても、結像レンズ群１０６、２０６の焦点距離が４．０ｍｍ、像側プリズム１０８、２０８で光路が屈折される断面（ＹＺ平面）内での最大像高が２．４５ｍｍである。
【００３３】
【表１】
2012068509.tif 000003
【実施例２】
【００３４】
図４は、本発明の実施例２の撮影光学系１００の構成を示す。本実施例２の撮影光学系１００の具体的数値構成（設計値）は、表２に示される。表２中、面Ｎｏ．１〜１０は数値が表１と同一であるため、重複説明を避ける便宜上省略している。以降の実施例又は比較例の表においても同様に省略する。
【００３５】
【表２】
2012068509.tif 000004
【実施例３】
【００３６】
図５は、本発明の実施例３の撮影光学系１００の構成を示す。本実施例３の撮影光学系１００の具体的数値構成（設計値）は、表３に示される。
【００３７】
【表３】
2012068509.tif 000005
【実施例４】
【００３８】
図６は、本発明の実施例４の撮影光学系１００の構成を示す。本実施例４の撮影光学系１００の具体的数値構成（設計値）は、表４に示される。
【００３９】
【表４】
2012068509.tif 000006
【実施例５】
【００４０】
図７は、本発明の実施例５の撮影光学系１００の構成を示す。本実施例５の撮影光学系１００の具体的数値構成（設計値）は、表５に示される。本実施例５の撮影光学系１００は、像側プリズム１０８とカバーガラス１１０とを接着固定するのに代わり、像側プリズム１０８とカバーガラス１１０とが一体に形成されている。なお、図７においては、説明の便宜上、二点鎖線を境に、一体部品の右側部分に符号１０８を付し、一体部品の左側部分に符号１１０を付している。
【００４１】
【表５】
2012068509.tif 000007
【００４２】
（比較例１）
比較例１の撮影光学系２００は、図２に示される構成を有する。比較例１の撮影光学系２００の具体的数値構成（設計値）は、表６に示される。比較例１の撮影光学系２００は、像側プリズム２０８とカバーガラス２１０とが接着されておらず、別個独立に固定されている。具体的には、像側プリズム２０８は図示省略されたレンズホルダに取り付けられている一方、カバーガラス２１０は回路基板に実装された樹脂パッケージに接着されている。像側プリズム２０８の射出面２０８ｂとカバーガラス２１０の入射面２１０ａとの間は空気層である。
【００４３】
【表６】
2012068509.tif 000008
【００４４】
（比較検証）
比較例１の撮影光学系２００は、像側プリズム２０８と外側の媒質（空気層）との屈折率差が大きく、射出面２０８ｂでの臨界角が小さいため、射出面２０８ｂで光が全反射しやすい。そのため、ゴーストやフレアによる画質の劣化が生じやすい。例えば図２に示されるように、比較例１において、光線Ｒは、射出面２０８ｂで全反射した後、反射面２０８ａで再度全反射してセンサ面２２の有効画素領域に入射する。すなわち、比較例１において、光線Ｒは、ゴーストやフレアとして画像に現れる。
【００４５】
本実施例１〜４の撮影光学系１００は、像側プリズム１０８の射出面１０８ｂとカバーガラス１１０の入射面１１０ａとを接着したことにより、像側プリズム１０８と外側の媒質（接着層１１２）との屈折率差が小さい。射出面１０８ｂでの臨界角が大きいため、射出面１０８ｂで全反射する光が減少してゴーストやフレアが現れにくくなる。本実施例５においては、像側プリズム１０８とカバーガラス１１０とを一体形成して像側プリズム１０８とカバーガラス１１０との境界自体をなくしたことにより、ゴーストやフレアによる画質の劣化が抑えられている。
【００４６】
本実施例１では、式（１）が満たされる。本実施例１においては、像側プリズム１０８の射出面１０８ｂ、カバーガラス１１０の入射面１１０ａの何れにおいても全反射が起こらないため、ゴーストやフレアの発生が好適に抑えられる。例えば図３に示されるように、本実施例１において、光線Ｒは、射出面１０８ｂ、入射面１１０ａを順に透過後、カバーガラス１１０の射出面１１０ｂ（カバーガラス１１０と樹脂パッケージ内部の空気層との境界）で全反射してセンサ面２２の有効画素領域外に進む。射出面１１０ｂは、像側プリズム１０８の反射面１０８ａから離れている。そのため、射出面１１０ｂで全反射した光が反射面１０８ａに入射することがなく、ゴーストやフレアとして画像に現れることもない。この点は、他の実施例においても同様である。
【００４７】
本実施例２、３においてはそれぞれ、式（２）、（３）が満たされる。本実施例４においては、式（２）、（３）が共に満たされる。例えば図４〜６に示されるように、本実施例２〜４において、光線Ｒは、射出面１０８ｂ、入射面１１０ａを順に透過後、センサ面２２の有効画素領域外に進む。すなわち、本実施例２〜４において、光線Ｒは、ゴーストやフレアとして画像に現れない。
【００４８】
本実施例５においては、像側プリズム１０８とカバーガラス１１０とが一体形成部品であるため、射出面１０８ｂ（つまり反射面１０８ａに近接した面）で全反射が起こり得ない。本実施例５において、光線Ｒは、像側プリズム１０８に入射後、センサ面２２の有効画素領域外に伝播するため、ゴーストやフレアとして画像に現れない。
【００４９】
以上が本発明の実施形態の説明である。本発明は、上記の構成に限定されるものではなく、本発明の技術的思想の範囲において様々な変形が可能である。例えば物体側プリズム１０４は、光路を折り曲げる反射ミラーであってもよい。また、物体側プリズム１０４は、結像レンズ群１０６よりも物体側の位置に配置されていなくてもよい。物体側プリズム１０４は、例えば結像レンズ群１０６を構成する複数枚のレンズの間に配置されてもよい。
【符号の説明】
【００５０】
１  撮影装置
１０  筐体
２０  撮影チップ
１００  撮影光学系
１０８  像側プリズム
１１０  カバーガラス
１１２  接着層
【図１】
2012068509.tif 000009
【図２】
2012068509.tif 000010
【図３】
2012068509.tif 000011
【図４】
2012068509.tif 000012
【図５】
2012068509.tif 000013
【図６】
2012068509.tif 000014
【図７】
2012068509.tif 000015